(57)【要約】本発明は、複数の伝送装置を伝送路で接続して構成されたネットワークをいずれかの伝送装置に接続された監視制御端末で前記伝送路データフレーム内の帯域である監視パスを用いて前記複数の伝送装置を監視制御するシステムで、前記監視パスを制御するための監視パス制御情報を送受信して前記監視パスを切り替える監視パス切り替え方法であって、伝送路を介して対向する２台の伝送装置間で、一方の伝送装置は他方の伝送装置から受信した監視パス制御情報の折り返し制御を行い、前記他方の伝送装置で自ら送信した監視パス制御情報を受信したことを契機として前記監視パスの切り替えを行うことにより、伝送装置間で同期をとって監視パス切り替えを行うことができ、重要な障害情報や制御情報を欠落させることなく迅速に監視パス切り替えを行うことができる。
2004054184.tif 000002
【特許請求の範囲】
【請求項１】
複数の伝送装置を伝送路で接続して構成されたネットワークをいずれかの伝送装置に接続された監視制御端末で前記伝送路データフレーム内の帯域である監視パスを用いて前記複数の伝送装置を監視制御するシステムで、前記監視パスを制御するための監視パス制御情報を送受信して前記監視パスを切り替える監視パス切り替え方法であって、
伝送路を介して対向する２台の伝送装置間で、一方の伝送装置は他方の伝送装置から受信した監視パス制御情報の折り返し制御を行い、
前記他方の伝送装置で自ら送信した監視パス制御情報を受信したことを契機として前記監視パスの切り替えを行う監視パス切り替え方法。
【請求項２】
複数の伝送装置を伝送路で接続して構成されたネットワークをいずれかの伝送装置に接続された監視制御端末で前記伝送路データフレーム内の帯域である監視パスを用いて前記複数の伝送装置を監視制御するシステムで、前記監視パスを制御するための監視パス制御情報を送受信して前記監視パスを切り替える監視パス切り替え方法であって、
伝送路を介して対向する２台の伝送装置間で、一方の伝送装置から他方の伝送装置に監視パス切り替えを指示し、
前記他方の伝送装置から前記一方の伝送装置に監視パス切り替え応答を行って前記監視パスの切り替えを行う監視パス切り替え方法。
【請求項３】
請求項１記載の監視パス切り替え方法において、
監視パス切り替えが完了した伝送装置は、伝送路を介して対向する監視パス切り替えが未完の伝送装置から受信した監視パス制御情報の折り返し制御を行い、
前記監視パス切り替えが未完の伝送装置は自ら送信した監視パス制御情報を受信したことを契機として前記監視パスの切り替えを行う監視パス切り替え方法。
【請求項４】
請求項２記載の監視パス切り替え方法において、
監視パス切り替えが完了した伝送装置は、伝送路を介して対向する監視パス切り替えが未完の伝送装置に監視パス切り替えを指示し、
前記監視パス切り替えが未完の伝送装置から前記監視パス切り替えが完了した伝送装置に監視パス切り替え応答を行って前記監視パスの切り替えを行う監視パス切り替え方法。
【請求項５】
複数の伝送装置を伝送路で接続して構成されたネットワークをいずれかの伝送装置に接続された監視制御端末で前記伝送路データフレーム内の帯域である監視パスを用いて前記複数の伝送装置を監視制御するシステムで、前記監視パスを制御するための監視パス制御情報を送受信して前記監視パスを切り替える伝送装置であって、
監視パス制御情報を前記監視パスに挿入して送信する監視パス送信管理手段と、
監視パス制御情報を受信した監視パスから抽出する監視パス受信管理手段と、
伝送路を介して対向する他方の伝送装置から受信した監視パス制御情報の折り返し制御を行い、前記他方の伝送装置から受信した監視パス制御情報が自装置から送信されたものである場合に監視パスの切り替えを行う監視パス制御手段を有する伝送装置。
【請求項６】
複数の伝送装置を伝送路で接続して構成されたネットワークをいずれかの伝送装置に接続された監視制御端末で前記伝送路データフレーム内の帯域である監視パスを用いて前記複数の伝送装置を監視制御するシステムで、前記監視パスを制御するための監視パス制御情報を送受信して前記監視パスを切り替える伝送装置であって、
監視パス制御情報を前記監視パスに挿入して送信する監視パス送信管理手段と、
監視パス制御情報を受信した監視パスから抽出する監視パス受信管理手段と、
伝送路を介して対向する他方の伝送装置に監視パス切り替えを指示し、前記他方の伝送装置から監視パス切り替え応答を受信した場合に監視パスの切り替えを行う監視パス制御手段を有する伝送装置。
【請求項７】
請求項５記載の伝送装置において、
前記監視パス制御手段は、伝送路を介して対向する伝送装置の監視パス制御情報の折り返し制御によって監視パス切り替えを完了したのち、他の伝送路を介して対向する監視パス切り替えが未完の伝送装置から受信した監視パス制御情報の折り返し制御を行う伝送装置。
【請求項８】
請求項６記載の伝送装置において、
前記監視パス制御手段は、伝送路を介して対向する伝送装置から監視パス切り替えを指示されて監視パス切り替えを完了したのち、他の伝送路を介して対向する監視パス切り替えが未完の伝送装置に対して監視パス切り替えを指示する伝送装置。
【発明の詳細な説明】
【技術分野】  本発明は、監視パス切り替え方法及びそれを用いた伝送装置に関し、ネットワーク監視システムの監視パスを切り替える監視パス切り替え方法及びそれを用いた伝送装置に関する。
【背景技術】  図１の構成図に示すように、複数の伝送装置Ａ〜Ｆを伝送路で接続したネットワークシステムにおいて、ネットワークを構成する複数の伝送装置Ａ〜Ｆそれぞれを監視制御端末１０で監視制御するために、監視制御用の通信パスをネットワーク内に構成して、システムの運用を行っているものがある。
北米等で使用されているＳＯＮＥＴ（Ｓｙｎｃｈｒｏｎｏｕｓ  Ｏｐｔｉｃａｌ  Ｎｅｔｗｏｒｋ）や、その他の国々で使用されているＳＤＨ（Ｓｙｎｃｈｒｏｎｏｕｓ  Ｄｉｇｉｔａｌ  Ｈｉｅｒａｒｃｈｙ）においては、監視パス制御フレームは、通常伝送路フレームのＳＯＨ（Ｓｅｃｔｉｏｎ  ＯｖｅｒＨｅａｄ）やペイロードの空き帯域に割り付けられる。
ネットワーク構成の変更や、回線の変更を行う場合、監視パス制御フレームをＳＯＨからペイロードへ切り替えること、または、ユーザ使用帯域に影響を与えないようにペイロード内で割り付け帯域を切り替えることが必要となる。
また、伝送装置間に多重化装置を介する場合はペイロードのみを多重するため、ＳＯＨに監視パス制御フレームを割り付けていると、監視パス制御フレームが多重されないことになるため、監視パス制御フレームをペイロードに切り替えることが必要となる。
従来、監視パス切り替えを行う方法として、図２に示すように、監視制御端末１０からネットワーク内の全ての伝送装置Ａ〜Ｆに同報で監視パス切り替え指示を送信する方法や、図３に示すように、伝送装置Ａ〜Ｆそれぞれの前面操作パネルで伝送装置毎に監視パス切り替えを人為的操作で行う方法がある。
ネットワーク内の伝送装置Ａ〜Ｆに同報で監視パス切り替え指示を送信する方法では、ネットワークが大規模な場合、伝送遅延や伝送装置の監視処理時間が異なるために、全ての伝送装置間で監視パス切り替えの同期をとることが難しく、監視パス切り替えタイミングが異なるために、ネットワークの末端に接続された端末装置まで切り替え指示が届かず監視パス制御フレーム割り付け帯域が違うために、監視が不可能になるという可能性があった。
また、監視パス切り替えの実行を伝送装置毎に人為的操作で行う方法では、切り替え時に発生する伝送装置間の時間差や、操作ミスによってデータの損失や誤りが発生するおそれがあった。
ところで、特許文献１の特開昭６３−２１１８３５号にはネットワークの監視パスの設定制御について記載されている。また、特許文献２の特開平１−１２８６４０号には障害時の監視パス切り替えについて記載され、特許文献３の特開平５−１１０５４５号には障害時にパスの経路を誤りなく切り替えることが記載されている。
【発明の開示】
本発明は、重要な障害情報や制御情報を欠落させることなく迅速に監視パス切り替えを行うことができる監視パス切り替え方法及びそれを用いた伝送装置を提供することを総括的な目的とする。
この目的を達成するため、本発明は、複数の伝送装置を伝送路で接続して構成されたネットワークをいずれかの伝送装置に接続された監視制御端末で前記伝送路データフレーム内の帯域である監視パスを用いて前記複数の伝送装置を監視制御するシステムで、前記監視パスを制御するための監視パス制御情報を送受信して前記監視パスを切り替える監視パス切り替え方法であって、伝送路を介して対向する２台の伝送装置間で、一方の伝送装置は他方の伝送装置から受信した監視パス制御情報の折り返し制御を行い、前記他方の伝送装置で自ら送信した監視パス制御情報を受信したことを契機として前記監視パスの切り替えを行うよう構成される。
このような監視パス切り替え方法によれば、伝送装置間で同期をとって監視パス切り替えを行うことができ、重要な障害情報や制御情報を欠落させることなく迅速に監視パス切り替えを行うことができる。
【図面の簡単な説明】  図１は、ネットワークの一例の構成図である。
図２は、従来の監視パス切り替え方法を説明するための図である。
図３は、従来の監視パス切り替え方法を説明するための図である。
図４は、本発明の伝送装置の一実施例の機能ブロック図である。
図５は、ネットワークシステムの第１実施例の構成図である。
図６は、伝送路データフレームの構成を示す図である。
図７は、本発明方法の第１実施例のシーケンス図である。
図８は、本発明方法の第２実施例のシーケンス図である。
図９は、ネットワークシステムの第２実施例の構成図である。
図１０は、本発明方法の第３実施例のシーケンス図である。
図１１は、本発明方法の第４実施例のシーケンス図である。
【発明を実施するための最良の形態】  以下、本発明の実施例を図面に基づいて説明する。
図４は、本発明の伝送装置の一実施例の機能ブロック図を示す。この図では簡単のために同一の機能構成を持った伝送装置Ａ，伝送装置Ｂの２台が伝送路を介して対向している構成について説明する。同図中、監視パス制御部２０は、監視パス制御情報（即ち、監視パス制御フレーム）の送受信の制御と、受信した監視パス制御情報に基づいて折り返し制御を行うかどうがの判定を行う。監視パス情報データベース２２は、監視パス制御情報を格納する。伝送路ＩＦ（インタフェース）２４は伝送路との接続部である。
多重化部２６は、監視パス制御部２０からの指示により、データの多重化と折り返し制御を実行する。監視パス送信管理部２８は、監視パス制御部２０からの指示により監視パス制御情報の送信を管理する。監視パス受信管理部３０は、監視パス制御部２０からの指示により監視パス制御情報の受信を管理する。データ挿入部３２は、監視パス送信管理部２８からの監視パス制御情報を送信する伝送路データフレームの監視パス制御部２０からの指示された帯域に挿入し、データ抽出部３４は、監視パス制御部２０からの指示により受信した伝送路データフレームの監視パス制御部２０からの指示された帯域から監視パス制御情報を抽出して監視パス制御部２０に通知する。
伝送装置Ａにおいて、監視パス制御部２０は監視パス情報データベース２２から取得した監視パス制御情報に自装置の送信元アドレスを付加し、監視パス送信管理部２８に通知する。監視パス送信管理部２８は、監視パス制御情報をデータ挿入部３２に送り、伝送路データフレームに挿入する。挿入された監視パス制御情報は多重化部２６及び伝送路ＩＦ２４を通し伝送路を介して伝送装置Ｂに送信される。
伝送装置Ｂでは、受信した伝送路データフレーム内からデータ抽出部３４において監視パス制御情報を抽出する。この監視パス制御情報は、監視パス受信管理部３０で中継され、監視パス制御部２０に通知される。監視パス制御部２０では、受信した監視パス制御情報に自装置の送信元アドレスを付加して返信する。
通常運用中、監視パス情報の送受信を定期的に行うこととする。伝送装置Ａ側の制御により監視パス切り替えを実行したい場合、伝送装置Ａの監視パス制御部２０は多重化部２６に折り返し制御をかけて監視パス切り替えのトリガーとし、伝送装置Ａ自身の監視パスを切り替える。
この折り返し制御により、伝送装置Ｂから送信された監視パス制御情報は、伝送装置Ａの多重化部２６で折り返されて伝送装置Ｂに返信される。伝送装置Ｂの監視パス制御部２０では、受信した監視パス制御情報の送信元アドレスを参照し、送信元アドレスが自装置（伝送装置Ｂ）であることを認識すると、監視パスを切り替え、伝送装置Ａ，Ｂ間の監視パス切り替えが完了する。
図５は、ネットワークシステムの第１実施例の構成図を示す。この図では図４と同様に、伝送装置Ａ，伝送装置Ｂの２台が伝送路を介して対向している構成を示す。同図中、伝送装置Ａは制御部４０（監視パス制御部２０に相当）と伝送路ＩＦ４１（伝送路ＩＦ２４に相当）を有し、伝送装置Ｂは制御部４０と伝送路ＩＦ４１を有しており、伝送装置Ａ，Ｂの伝送路ＩＦ４１どうしが伝送路５０で接続されている。そして、伝送装置Ａは制御部４０には監視パス切り替え設定を行う監視制御端末５２が接続されている。
図６に伝送路５０を伝送される伝送路データフレームの構成を示す。伝送路データフレームはＳＯＨとペイロードからなる。ペイロードに監視パス制御フレームの帯域が割り付けられている。監視パス制御フレームのフォーマットは制御タイプ、送信元装置アドレス、送信先装置アドレス、切り替え先帯域アドレスから構成される。制御タイプには定義、指示、応答の制御内容が格納される。
図５のネットワーク構成を用いて、図７のシーケンス図により本発明方法の第１実施例を説明する。図７中、ステップ番号を丸付き数字で示す。本実施例では、監視パス帯域アドレスを１から５に変更して監視パス切り替えを行う。
ステップＳ１において、監視制御端末５２または伝送装置Ａ前面の操作パネルにより監視パス制御フレームの内容を設定する。ここでは、制御タイプを「定義」、監視パス帯域アドレスを「５」に設定する。
次のステップＳ２，Ｓ３では、運用中定期的に切り替え定義情報の監視パス制御フレームを送受信する。
ステップＳ２で、伝送装置Ａは、制御タイプ「定義」、送信元装置アドレスＡ、送信先装置アドレスＢ、切り替え先帯域アドレス「５」の監視パス制御フレームを送信する。
ステップＳ３で、伝送装置Ｂは、ステップＳ２と同様に、制御タイプ「定義」、送信元装置アドレスＢ、送信先装置アドレスＡ、切り替え先帯域アドレス「５」の監視パス制御フレームを送信する。
ステップＳ４において、伝送装置Ａに監視制御端末５２または装置前面の操作パネルから、監視パス切り替えを指示する。これにより、ステップＳ５で、伝送装置Ａは監視パス制御フレームを受信すると折り返し制御をかけるように設定する。
ステップＳ６において、伝送装置ＢはステップＳ３と同様に切り替え定義情報の監視パス制御フレームを送信してくる。ステップＳ７において、伝送装置Ａは受信された切り替え定義情報の監視パス制御フレームをステップＳ５の折り返し制御によって折り返し、ステップＳ８において伝送装置Ｂへと返信する。これが伝送装置Ｂの監視パス切り替え指示となる。
また、ステップＳ９において、伝送装置Ａは監視パス帯域アドレスを１から５に切り替えて監視パス切り替えを行い、また、折り返し制御を中止する。
ステップＳ１０において、伝送装置Ｂは監視パス制御フレームの送信元装置アドレスが自装置のＢであることから監視パス切り替え指示を受信したことを認識する。そして、ステップＳ１１において、伝送装置Ｂは監視パス帯域アドレスを１から５に切り替えて、監視パス切り替えを行う。次に、ステップＳ１２において、伝送装置Ｂは制御タイプに「応答」を格納して、監視パス切り替え完了を通知する。上記のシーケンスを経て、監視パス切り替えが完了する。
次に、図５のネットワーク構成を用いて、図８のシーケンス図により本発明方法の第２実施例を説明する。図８中、ステップ番号を丸付き数字で示す。本実施例では、監視パス帯域アドレスを１から５に変更して監視パス切り替えを行う。
ステップＳ１において、監視制御端末５２または伝送装置Ａ前面の操作パネルにより監視パス制御フレームの内容を設定する。ここでは、制御タイプを「定義」、監視パス帯域アドレスを「５」に設定する。
次のステップＳ２，Ｓ３では、運用中定期的に切り替え定義情報の監視パス制御フレームを送受信する。
ステップＳ２で、伝送装置Ａは、制御タイプ「定義」、送信元装置アドレスＡ、送信先装置アドレスＢ、切り替え先帯域アドレス「５」の監視パス制御フレームを送信する。
ステップＳ３で、伝送装置Ｂは、ステップＳ２と同様に、制御タイプ「定義」、送信元装置アドレスＢ、送信先装置アドレスＡ、切り替え先帯域アドレス「５」の監視パス制御フレームを送信する。
ステップＳ４において、伝送装置Ａに監視制御端末５２または装置前面の操作パネルから、監視パス切り替えを指示する。これにより、ステップＳ５において、伝送装置Ａは制御タイプに「指示」を格納して、伝送装置Ｂに監視パス切り替えを指示する。
ステップＳ６において、伝送装置Ｂは制御タイプに「応答」を格納して、監視パス切り替え指示の受領を通知する。
ステップＳ７において、伝送装置Ｂは、監視パス帯域アドレスを１から５に切り替えて、監視パス切り替えを行う。
伝送装置Ａは、伝送装置Ｂから制御タイプが「応答」の監視パス制御フレームを受信すると、ステップＳ８において監視パス帯域アドレスを１から５に切り替えて、監視パス切り替えを行う。上記のシーケンスを経て、監視パス切り替えが完了する。
図９は、ネットワークシステムの第２実施例の構成図を示す。同図中、図５と同一部分には同一符号を付す。図９において、伝送装置Ａは制御部４０（監視パス制御部２０に相当）と伝送路ＩＦ４１（伝送路ＩＦ２４に相当）を有し、伝送装置Ｂは制御部４０と伝送路ＩＦ４１，４２，４３，４４を有しており、伝送装置Ａ，Ｂの伝送路ＩＦ４１どうしが伝送路５０で接続されている。そして、伝送装置Ａは制御部４０には監視パス切り替え設定を行う監視制御端末５２が接続されている。
また、伝送装置Ｂの伝送路ＩＦ４２は伝送装置Ｃの伝送路ＩＦ４１と伝送路５３で接続され、伝送装置Ｂの伝送路ＩＦ４３は伝送装置Ｄの伝送路ＩＦ４１と伝送路５４で接続され、伝送装置Ｂの伝送路ＩＦ４４は伝送装置Ｅの伝送路ＩＦ４１と伝送路５５で接続されている。
このようなネットワーク構成では、監視制御端末から伝送装置Ａに監視パス切り替えを指示し、伝送装置Ａは伝送装置Ｂに切り替えを指示し、伝送装置Ｂは伝送装置Ｃ、Ｄ、Ｅへと切り替えを指示し、連鎖的に全装置が順次切り替えられる。
図９のネットワーク構成を用いて、図１０のシーケンス図により本発明方法の第３実施例を説明する。図１０中、ステップ番号を丸付き数字で示す。
ステップＳ１１において、図７のステップＳ１〜Ｓ１２の処理を行い、伝送装置Ａ，Ｂ間の監視パス切り替えを完了する。
ステップＳ１２において、伝送装置Ｂの制御部４０は、監視パス切り替え完了をトリガーとして、切り替えが行われていない伝送路５３，５４，５５を検索し、伝送装置Ｂ，Ｃ間、Ｂ，Ｄ間、Ｂ，Ｅ間が未切り替えであることを認識し、監視パスの切り替えを開始する。
ステップＳ１３において、伝送装置Ｂは伝送装置Ｃ，Ｄ，Ｅとの間の監視パス切り替えを実行する。つまり、伝送装置Ｂは監視パス制御フレームを受信すると折り返し制御をかけるように設定する。伝送装置Ｃ，Ｄ，Ｅは切り替え定義情報の監視パス制御フレームを送信し、伝送装置Ｂは受信された切り替え定義情報の監視パス制御フレームを折り返して伝送装置Ｃ，Ｄ，Ｅへと返信する。これが伝送装置Ｃ，Ｄ，Ｅの監視パス切り替え指示となる。また、伝送装置Ｂは監視パス帯域アドレスを切り替えて監視パス切り替えを行い、折り返し制御を中止する。
こののち、伝送装置Ｃ，Ｄ，Ｅは監視パス制御フレームの送信元装置アドレスが相装置であることから監視パス切り替え指示を受信したことを認識し、監視パス帯域アドレスを切り替えて監視パス切り替えを行う。次に、伝送装置Ｃ，Ｄ，Ｅは制御タイプに「応答」を格納して、監視パス切り替え完了を通知する。これは図７のステップＳ５〜１２に対応する。上記のように複数の伝送装置間で連鎖的に監視パス切り替えが行われ、ネットワーク内の全装置に対して監視パス切り替えが完了する。
図９のネットワーク構成を用いて、図１１のシーケンス図により本発明方法の第４実施例を説明する。図１１中、ステップ番号を丸付き数字で示す。
ステップＳ１１において、図８のステップＳ１〜Ｓ１２の処理を行い、伝送装置Ａ，Ｂ間の監視パス切り替えを完了する。
ステップＳ１２において、伝送装置Ｂの制御部４０は、監視パス切り替え完了をトリガーとして、切り替えが行われていない伝送路５３，５４，５５を検索し、伝送装置Ｂ，Ｃ間、Ｂ，Ｄ間、Ｂ，Ｅ間が未切り替えであることを認識し、監視パスの切り替えを開始する。
ステップＳ１３において、伝送装置Ｂは伝送装置Ｃ，Ｄ，Ｅとの間の監視パス切り替えを実行する。つまり、伝送装置Ｂは制御タイプに「指示」を格納して、伝送装置Ｃ，Ｄ，Ｅに監視パス切り替えを指示し、伝送装置Ｃ，Ｄ，Ｅは制御タイプに「応答」を格納して、監視パス切り替え指示の受領を通知する。
こののち、伝送装置Ｃ，Ｄ，Ｅは、監視パス帯域アドレスを切り替えて監視パス切り替えを行う。また、伝送装置Ｂは、伝送装置Ｃ，Ｄ，Ｅから制御タイプが「応答」の監視パス制御フレームを受信すると、監視パス帯域アドレスを切り替えて監視パス切り替えを行う。上記のように複数の伝送装置間で連鎖的に監視パス切り替えが行われ、ネットワーク内の全装置に対して監視パス切り替えが完了する。
このように、ネットワーク構成の変更や回線の変更等に伴う監視パスの割り付け帯域切り替えを、全ての伝送装置に指示するのではなく、１つの伝送装置に指示するだけで自動的に他の伝送装置が順次切り替わっていき、全ての伝送装置に同報で指示する方法や、各々の装置毎に行う方法と比較して、迅速かつ確実に切り替えを行うことができる。
なお、監視パス送信管理部３２が請求項記載の監視パス送信管理手段に対応し、監視パス受信管理部３０が監視パス受信管理手段に対応し、監視パス制御部２０が監視パス制御手段に対応する。
【図１】
2004054184.tif 000003
【図２】
2004054184.tif 000004
【図３】
2004054184.tif 000005
【図４】
2004054184.tif 000006
【図５】
2004054184.tif 000007
【図６】
2004054184.tif 000008
【図７】
2004054184.tif 000009
【図８】
2004054184.tif 000010
【図９】
2004054184.tif 000011
【図１０】
2004054184.tif 000012
【図１１】
2004054184.tif 000013
【手続補正書】
【提出日】平成17年11月30日(2005.11.30)
【手続補正１】
【補正対象書類名】特許請求の範囲
【補正対象項目名】全文
【補正方法】変更
【補正の内容】
【特許請求の範囲】
【請求項１】
複数の伝送装置を伝送路で接続して構成されたネットワークをいずれかの伝送装置に接続された監視制御端末で前記伝送路データフレーム内の帯域である監視パスを用いて前記複数の伝送装置を監視制御するシステムで、前記監視パスを制御するための監視パス制御情報を送受信して前記監視パスを切り替える監視パス切り替え方法であって、
伝送路を介して対向する２台の伝送装置間で、一方の伝送装置は他方の伝送装置から受信した監視パス制御情報の折り返し制御を行い、
前記他方の伝送装置で自ら送信した監視パス制御情報を受信したことを契機として前記監視パスの切り替えを行う監視パス切り替え方法。
【請求項２】
請求項１記載の監視パス切り替え方法において、
監視パス切り替えが完了した伝送装置は、伝送路を介して対向する監視パス切り替えが未完の伝送装置から受信した監視パス制御情報の折り返し制御を行い、
前記監視パス切り替えが未完の伝送装置は自ら送信した監視パス制御情報を受信したことを契機として前記監視パスの切り替えを行う監視パス切り替え方法。
【請求項３】
複数の伝送装置を伝送路で接続して構成されたネットワークをいずれかの伝送装置に接続された監視制御端末で前記伝送路データフレーム内の帯域である監視パスを用いて前記複数の伝送装置を監視制御するシステムで、前記監視パスを制御するための監視パス制御情報を送受信して前記監視パスを切り替える伝送装置であって、
監視パス制御情報を前記監視パスに挿入して送信する監視パス送信管理手段と、
監視パス制御情報を受信した監視パスから抽出する監視パス受信管理手段と、
伝送路を介して対向する他方の伝送装置から受信した監視パス制御情報の折り返し制御を行い、前記他方の伝送装置から受信した監視パス制御情報が自装置から送信されたものである場合に監視パスの切り替えを行う監視パス制御手段を有する伝送装置。
【請求項４】
請求項３記載の伝送装置において、
前記監視パス制御手段は、伝送路を介して対向する伝送装置の監視パス制御情報の折り返し制御によって監視パス切り替えを完了したのち、他の伝送路を介して対向する監視パス切り替えが未完の伝送装置から受信した監視パス制御情報の折り返し制御を行う伝送装置。
【手続補正２】
【補正対象書類名】明細書
【補正対象項目名】全文
【補正方法】変更
【補正の内容】
【発明の詳細な説明】
【技術分野】
【０００１】
本発明は、監視パス切り替え方法及びそれを用いた伝送装置に関し、ネットワーク監視システムの監視パスを切り替える監視パス切り替え方法及びそれを用いた伝送装置に関する。
【背景技術】
【０００２】
図１の構成図に示すように、複数の伝送装置Ａ〜Ｆを伝送路で接続したネットワークシステムにおいて、ネットワークを構成する複数の伝送装置Ａ〜Ｆそれぞれを監視制御端末１０で監視制御するために、監視制御用の通信パスをネットワーク内に構成して、システムの運用を行っているものがある。
【０００３】
北米等で使用されているＳＯＮＥＴ（Ｓｙｎｃｈｒｏｎｏｕｓ  Ｏｐｔｉｃａｌ  Ｎｅｔｗｏｒｋ）や、その他の国々で使用されているＳＤＨ（Ｓｙｎｃｈｒｏｎｏｕｓ  Ｄｉｇｉｔａｌ  Ｈｉｅｒａｒｃｈｙ）においては、監視パス制御フレームは、通常伝送路フレームのＳＯＨ（Ｓｅｃｔｉｏｎ  ＯｖｅｒＨｅａｄ）やペイロードの空き帯域に割り付けられる。
【０００４】
ネットワーク構成の変更や、回線の変更を行う場合、監視パス制御フレームをＳＯＨからペイロードへ切り替えること、または、ユーザ使用帯域に影響を与えないようにペイロード内で割り付け帯域を切り替えることが必要となる。
【０００５】
また、伝送装置間に多重化装置を介する場合はペイロードのみを多重するため、ＳＯＨに監視パス制御フレームを割り付けていると、監視パス制御フレームが多重されないことになるため、監視パス制御フレームをペイロードに切り替えることが必要となる。
【０００６】
従来、監視パス切り替えを行う方法として、図２に示すように、監視制御端末１０からネットワーク内の全ての伝送装置Ａ〜Ｆに同報で監視パス切り替え指示を送信する方法や、図３に示すように、伝送装置Ａ〜Ｆそれぞれの前面操作パネルで伝送装置毎に監視パス切り替えを人為的操作で行う方法がある。
【０００７】
ところで、特許文献１にはネットワークの監視パスの設定制御について記載されている。また、特許文献２には障害時の監視パス切り替えについて記載され、特許文献３には障害時にパスの経路を誤りなく切り替えることが記載されている。
【特許文献１】特開昭６３−２１１８３５号
【特許文献２】特開平１−１２８６４０号
【特許文献３】特開平５−１１０５４５号
【発明の開示】
【発明が解決しようとする課題】
【０００８】
ネットワーク内の伝送装置Ａ〜Ｆに同報で監視パス切り替え指示を送信する方法では、ネットワークが大規模な場合、伝送遅延や伝送装置の監視処理時間が異なるために、全ての伝送装置間で監視パス切り替えの同期をとることが難しく、監視パス切り替えタイミングが異なるために、ネットワークの末端に接続された端末装置まで切り替え指示が届かず監視パス制御フレーム割り付け帯域が違うために、監視が不可能になるという可能性があった。
【０００９】
また、監視パス切り替えの実行を伝送装置毎に人為的操作で行う方法では、切り替え時に発生する伝送装置間の時間差や、操作ミスによってデータの損失や誤りが発生するおそれがあった。
【００１０】
本発明は、重要な障害情報や制御情報を欠落させることなく迅速に監視パス切り替えを行うことができる監視パス切り替え方法及びそれを用いた伝送装置を提供することを総括的な目的とする。
【課題を解決するための手段】
【００１１】
この目的を達成するため、本発明は、複数の伝送装置を伝送路で接続して構成されたネットワークをいずれかの伝送装置に接続された監視制御端末で前記伝送路データフレーム内の帯域である監視パスを用いて前記複数の伝送装置を監視制御するシステムで、前記監視パスを制御するための監視パス制御情報を送受信して前記監視パスを切り替える監視パス切り替え方法であって、伝送路を介して対向する２台の伝送装置間で、一方の伝送装置は他方の伝送装置から受信した監視パス制御情報の折り返し制御を行い、前記他方の伝送装置で自ら送信した監視パス制御情報を受信したことを契機として前記監視パスの切り替えを行うよう構成される。
【発明の効果】
【００１２】
このような監視パス切り替え方法によれば、伝送装置間で同期をとって監視パス切り替えを行うことができ、重要な障害情報や制御情報を欠落させることなく迅速に監視パス切り替えを行うことができる。
【発明を実施するための最良の形態】
【００１３】
以下、本発明の実施例を図面に基づいて説明する。
【００１４】
図４は、本発明の伝送装置の一実施例の機能ブロック図を示す。この図では簡単のために同一の機能構成を持った伝送装置Ａ，伝送装置Ｂの２台が伝送路を介して対向している構成について説明する。同図中、監視パス制御部２０は、監視パス制御情報（即ち、監視パス制御フレーム）の送受信の制御と、受信した監視パス制御情報に基づいて折り返し制御を行うかどうかの判定を行う。監視パス情報データベース２２は、監視パス制御情報を格納する。伝送路ＩＦ（インタフェース）２４は伝送路との接続部である。
【００１５】
多重化部２６は、監視パス制御部２０からの指示により、データの多重化と折り返し制御を実行する。監視パス送信管理部２８は、監視パス制御部２０からの指示により監視パス制御情報の送信を管理する。監視パス受信管理部３０は、監視パス制御部２０からの指示により監視パス制御情報の受信を管理する。データ挿入部３２は、監視パス送信管理部２８からの監視パス制御情報を送信する伝送路データフレームの監視パス制御部２０からの指示された帯域に挿入し、データ抽出部３４は、監視パス制御部２０からの指示により受信した伝送路データフレームの監視パス制御部２０からの指示された帯域から監視パス制御情報を抽出して監視パス制御部２０に通知する。
【００１６】
伝送装置Ａにおいて、監視パス制御部２０は監視パス情報データベース２２から取得した監視パス制御情報に自装置の送信元アドレスを付加し、監視パス送信管理部２８に通知する。監視パス送信管理部２８は、監視パス制御情報をデータ挿入部３２に送り、伝送路データフレームに挿入する。挿入された監視パス制御情報は多重化部２６及び伝送路ＩＦ２４を通し伝送路を介して伝送装置Ｂに送信される。
【００１７】
伝送装置Ｂでは、受信した伝送路データフレーム内からデータ抽出部３４において監視パス制御情報を抽出する。この監視パス制御情報は、監視パス受信管理部３０で中継され、監視パス制御部２０に通知される。監視パス制御部２０では、受信した監視パス制御情報に自装置の送信元アドレスを付加して返信する。
【００１８】
通常運用中、監視パス情報の送受信を定期的に行うこととする。伝送装置Ａ側の制御により監視パス切り替えを実行したい場合、伝送装置Ａの監視パス制御部２０は多重化部２６に折り返し制御をかけて監視パス切り替えのトリガーとし、伝送装置Ａ自身の監視パスを切り替える。
【００１９】
この折り返し制御により、伝送装置Ｂから送信された監視パス制御情報は、伝送装置Ａの多重化部２６で折り返されて伝送装置Ｂに返信される。伝送装置Ｂの監視パス制御部２０では、受信した監視パス制御情報の送信元アドレスを参照し、送信元アドレスが自装置（伝送装置Ｂ）であることを認識すると、監視パスを切り替え、伝送装置Ａ，Ｂ間の監視パス切り替えが完了する。
【００２０】
図５は、ネットワークシステムの第１実施例の構成図を示す。この図では図４と同様に、伝送装置Ａ，伝送装置Ｂの２台が伝送路を介して対向している構成を示す。同図中、伝送装置Ａは制御部４０（監視パス制御部２０に相当）と伝送路ＩＦ４１（伝送路ＩＦ２４に相当）を有し、伝送装置Ｂは制御部４０と伝送路ＩＦ４１を有しており、伝送装置Ａ，Ｂの伝送路ＩＦ４１どうしが伝送路５０で接続されている。そして、伝送装置Ａは制御部４０には監視パス切り替え設定を行う監視制御端末５２が接続されている。
【００２１】
図６に伝送路５０を伝送される伝送路データフレームの構成を示す。伝送路データフレームはＳＯＨとペイロードからなる。ペイロードに監視パス制御フレームの帯域が割り付けられている。監視パス制御フレームのフォーマットは制御タイプ、送信元装置アドレス、送信先装置アドレス、切り替え先帯域アドレスから構成される。制御タイプには定義、指示、応答の制御内容が格納される。
【００２２】
図５のネットワーク構成を用いて、図７のシーケンス図により本発明方法の第１実施例を説明する。図７中、ステップ番号を丸付き数字で示す。本実施例では、監視パス帯域アドレスを１から５に変更して監視パス切り替えを行う。
【００２３】
ステップＳ１において、監視制御端末５２または伝送装置Ａ前面の操作パネルにより監視パス制御フレームの内容を設定する。ここでは、制御タイプを「定義」、監視パス帯域アドレスを「５」に設定する。
【００２４】
次のステップＳ２，Ｓ３では、運用中定期的に切り替え定義情報の監視パス制御フレームを送受信する。
【００２５】
ステップＳ２で、伝送装置Ａは、制御タイプ「定義」、送信元装置アドレスＡ、送信先装置アドレスＢ、切り替え先帯域アドレス「５」の監視パス制御フレームを送信する。
【００２６】
ステップＳ３で、伝送装置Ｂは、ステップＳ２と同様に、制御タイプ「定義」、送信元装置アドレスＢ、送信先装置アドレスＡ、切り替え先帯域アドレス「５」の監視パス制御フレームを送信する。
【００２７】
ステップＳ４において、伝送装置Ａに監視制御端末５２または装置前面の操作パネルから、監視パス切り替えを指示する。これにより、ステップＳ５で、伝送装置Ａは監視パス制御フレームを受信すると折り返し制御をかけるように設定する。
【００２８】
ステップＳ６において、伝送装置ＢはステップＳ３と同様に切り替え定義情報の監視パス制御フレームを送信してくる。ステップＳ７において、伝送装置Ａは受信された切り替え定義情報の監視パス制御フレームをステップＳ５の折り返し制御によって折り返し、ステップＳ８において伝送装置Ｂへと返信する。これが伝送装置Ｂの監視パス切り替え指示となる。
【００２９】
また、ステップＳ９において、伝送装置Ａは監視パス帯域アドレスを１から５に切り替えて監視パス切り替えを行い、また、折り返し制御を中止する。
【００３０】
ステップＳ１０において、伝送装置Ｂは監視パス制御フレームの送信元装置アドレスが自装置のＢであることから監視パス切り替え指示を受信したことを認識する。そして、ステップＳ１１において、伝送装置Ｂは監視パス帯域アドレスを１から５に切り替えて、監視パス切り替えを行う。次に、ステップＳ１２において、伝送装置Ｂは制御タイプに「応答」を格納して、監視パス切り替え完了を通知する。上記のシーケンスを経て、監視パス切り替えが完了する。
【００３１】
次に、図５のネットワーク構成を用いて、図８のシーケンス図により本発明方法の第２実施例を説明する。図８中、ステップ番号を丸付き数字で示す。本実施例では、監視パス帯域アドレスを１から５に変更して監視パス切り替えを行う。
【００３２】
ステップＳ１において、監視制御端末５２または伝送装置Ａ前面の操作パネルにより監視パス制御フレームの内容を設定する。ここでは、制御タイプを「定義」、監視パス帯域アドレスを「５」に設定する。
【００３３】
次のステップＳ２，Ｓ３では、運用中定期的に切り替え定義情報の監視パス制御フレームを送受信する。
【００３４】
ステップＳ２で、伝送装置Ａは、制御タイプ「定義」、送信元装置アドレスＡ、送信先装置アドレスＢ、切り替え先帯域アドレス「５」の監視パス制御フレームを送信する。
【００３５】
ステップＳ３で、伝送装置Ｂは、ステップＳ２と同様に、制御タイプ「定義」、送信元装置アドレスＢ、送信先装置アドレスＡ、切り替え先帯域アドレス「５」の監視パス制御フレームを送信する。
【００３６】
ステップＳ４において、伝送装置Ａに監視制御端末５２または装置前面の操作パネルから、監視パス切り替えを指示する。これにより、ステップＳ５において、伝送装置Ａは制御タイプに「指示」を格納して、伝送装置Ｂに監視パス切り替えを指示する。
【００３７】
ステップＳ６において、伝送装置Ｂは制御タイプに「応答」を格納して、監視パス切り替え指示の受領を通知する。
【００３８】
ステップＳ７において、伝送装置Ｂは、監視パス帯域アドレスを１から５に切り替えて、監視パス切り替えを行う。
【００３９】
伝送装置Ａは、伝送装置Ｂから制御タイプが「応答」の監視パス制御フレームを受信すると、ステップＳ８において監視パス帯域アドレスを１から５に切り替えて、監視パス切り替えを行う。上記のシーケンスを経て、監視パス切り替えが完了する。
【００４０】
図９は、ネットワークシステムの第２実施例の構成図を示す。同図中、図５と同一部分には同一符号を付す。図９において、伝送装置Ａは制御部４０（監視パス制御部２０に相当）と伝送路ＩＦ４１（伝送路ＩＦ２４に相当）を有し、伝送装置Ｂは制御部４０と伝送路ＩＦ４１，４２，４３，４４を有しており、伝送装置Ａ，Ｂの伝送路ＩＦ４１どうしが伝送路５０で接続されている。そして、伝送装置Ａは制御部４０には監視パス切り替え設定を行う監視制御端末５２が接続されている。
【００４１】
また、伝送装置Ｂの伝送路ＩＦ４２は伝送装置Ｃの伝送路ＩＦ４１と伝送路５３で接続され、伝送装置Ｂの伝送路ＩＦ４３は伝送装置Ｄの伝送路ＩＦ４１と伝送路５４で接続され、伝送装置Ｂの伝送路ＩＦ４４は伝送装置Ｅの伝送路ＩＦ４１と伝送路５５で接続されている。
【００４２】
このようなネットワーク構成では、監視制御端末から伝送装置Ａに監視パス切り替えを指示し、伝送装置Ａは伝送装置Ｂに切り替えを指示し、伝送装置Ｂは伝送装置Ｃ、Ｄ、Ｅへと切り替えを指示し、連鎖的に全装置が順次切り替えられる。
【００４３】
図９のネットワーク構成を用いて、図１０のシーケンス図により本発明方法の第３実施例を説明する。図１０中、ステップ番号を丸付き数字で示す。
【００４４】
ステップＳ１１において、図７のステップＳ１〜Ｓ１２の処理を行い、伝送装置Ａ，Ｂ間の監視パス切り替えを完了する。
【００４５】
ステップＳ１２において、伝送装置Ｂの制御部４０は、監視パス切り替え完了をトリガーとして、切り替えが行われていない伝送路５３，５４，５５を検索し、伝送装置Ｂ，Ｃ間、Ｂ，Ｄ間、Ｂ，Ｅ間が未切り替えであることを認識し、監視パスの切り替えを開始する。
【００４６】
ステップＳ１３において、伝送装置Ｂは伝送装置Ｃ，Ｄ，Ｅとの間の監視パス切り替えを実行する。つまり、伝送装置Ｂは監視パス制御フレームを受信すると折り返し制御をかけるように設定する。伝送装置Ｃ，Ｄ，Ｅは切り替え定義情報の監視パス制御フレームを送信し、伝送装置Ｂは受信された切り替え定義情報の監視パス制御フレームを折り返して伝送装置Ｃ，Ｄ，Ｅへと返信する。これが伝送装置Ｃ，Ｄ，Ｅの監視パス切り替え指示となる。また、伝送装置Ｂは監視パス帯域アドレスを切り替えて監視パス切り替えを行い、折り返し制御を中止する。
【００４７】
こののち、伝送装置Ｃ，Ｄ，Ｅは監視パス制御フレームの送信元装置アドレスが自装置であることから監視パス切り替え指示を受信したことを認識し、監視パス帯域アドレスを切り替えて監視パス切り替えを行う。次に、伝送装置Ｃ，Ｄ，Ｅは制御タイプに「応答」を格納して、監視パス切り替え完了を通知する。これは図７のステップＳ５〜１２に対応する。上記のように複数の伝送装置間で連鎖的に監視パス切り替えが行われ、ネットワーク内の全装置に対して監視パス切り替えが完了する。
【００４８】
図９のネットワーク構成を用いて、図１１のシーケンス図により本発明方法の第４実施例を説明する。図１１中、ステップ番号を丸付き数字で示す。
【００４９】
ステップＳ１１において、図８のステップＳ１〜Ｓ１２の処理を行い、伝送装置Ａ，Ｂ間の監視パス切り替えを完了する。
【００５０】
ステップＳ１２において、伝送装置Ｂの制御部４０は、監視パス切り替え完了をトリガーとして、切り替えが行われていない伝送路５３，５４，５５を検索し、伝送装置Ｂ，Ｃ間、Ｂ，Ｄ間、Ｂ，Ｅ間が未切り替えであることを認識し、監視パスの切り替えを開始する。
【００５１】
ステップＳ１３において、伝送装置Ｂは伝送装置Ｃ，Ｄ，Ｅとの間の監視パス切り替えを実行する。つまり、伝送装置Ｂは制御タイプに「指示」を格納して、伝送装置Ｃ，Ｄ，Ｅに監視パス切り替えを指示し、伝送装置Ｃ，Ｄ，Ｅは制御タイプに「応答」を格納して、監視パス切り替え指示の受領を通知する。
【００５２】
こののち、伝送装置Ｃ，Ｄ，Ｅは、監視パス帯域アドレスを切り替えて監視パス切り替えを行う。また、伝送装置Ｂは、伝送装置Ｃ，Ｄ，Ｅから制御タイプが「応答」の監視パス制御フレームを受信すると、監視パス帯域アドレスを切り替えて監視パス切り替えを行う。上記のように複数の伝送装置間で連鎖的に監視パス切り替えが行われ、ネットワーク内の全装置に対して監視パス切り替えが完了する。
【００５３】
このように、ネットワーク構成の変更や回線の変更等に伴う監視パスの割り付け帯域切り替えを、全ての伝送装置に指示するのではなく、１つの伝送装置に指示するだけで自動的に他の伝送装置が順次切り替わっていき、全ての伝送装置に同報で指示する方法や、各々の装置毎に行う方法と比較して、迅速かつ確実に切り替えを行うことができる。
【００５４】
なお、監視パス送信管理部３２が請求項記載の監視パス送信管理手段に対応し、監視パス受信管理部３０が監視パス受信管理手段に対応し、監視パス制御部２０が監視パス制御手段に対応する。
【図面の簡単な説明】
【００５５】
【図１】ネットワークの一例の構成図である。
【図２】従来の監視パス切り替え方法を説明するための図である。
【図３】従来の監視パス切り替え方法を説明するための図である。
【図４】本発明の伝送装置の一実施例の機能ブロック図である。
【図５】ネットワークシステムの第１実施例の構成図である。
【図６】伝送路データフレームの構成を示す図である。
【図７】本発明方法の第１実施例のシーケンス図である。
【図８】本発明方法の第２実施例のシーケンス図である。
【図９】ネットワークシステムの第２実施例の構成図である。
【図１０】本発明方法の第３実施例のシーケンス図である。
【図１１】本発明方法の第４実施例のシーケンス図である。
【国際調査報告】
2004054184.tif 000014
2004054184.tif 000015